(57)【要約】【課題】高さが変化する昇降床に対応して、高さを容易に変えることができるようにするとともに構造を簡略化した高さ可変型昇降式階段装置を提供する。【解決手段】互いに連結された複数の踏み面ブロック（１１）と、垂設されて各踏み面ブロック（１１）をガイドする複数のガイドレール（３０）とを有する高さ可変型昇降式階段装置において、前記各踏み面ブロック（１１）は互いを連結する連結手段（２０）及び踏み面（１２）と、該踏み面（１２）の側部に固設されガイドレール（３０）によりガイドされる側板（１３）を有し、最上段の踏み面ブロック（１１）を昇降手段により上昇することによりそれに続く踏み面ブロック（１１）が上昇され、上昇された各踏み面ブロック（１１）間のけ上げ高さ（Ｈ）が一定である。【選択図】図２
2010037825.tif 000002
【特許請求の範囲】
【請求項１】
互いに連結された複数の踏み面ブロックと、垂設されて各踏み面ブロックをガイドする複数のガイドレールとを有する高さ可変型昇降式階段装置において、前記各踏み面ブロックは互いを連結する連結手段及び踏み面と、該踏み面の側部に固設されガイドレールによりガイドされる側板を有し、最上段の踏み面ブロックを昇降手段により上昇することによりそれに続く踏み面ブロックが上昇され、上昇された各踏み面ブロック間のけ上げ高さが一定であることを特徴とする高さ可変型昇降式階段装置。
【請求項２】
最下位置にある各踏み面ブロックの踏み面は面一とされている請求項１の高さ可変型昇降式階段装置。
【請求項３】
最上段の踏み面ブロックはステージに連結され、該ステージは昇降手段により上下動される昇降床に連結されている請求項１の高さ可変型昇降式階段装置。
【請求項４】
前記側板はガイドレールに係合して踏み面ブロックの傾倒を阻止する傾倒拘束ローラ及び水平移動を阻止する水平拘束ローラを有し、前記連結手段は一方の踏み面ブロックに設けられた長孔を有する板状の連結部材と、他方の踏み面ブロックに設けられ前記長孔に係合する連結ピンとを具備する請求項１の高さ可変型昇降式階段装置。
【発明の詳細な説明】
【技術分野】
【０００１】
本発明は、昇降するステージに適用される高さ可変型昇降式階段装置に関し、特に、工場や劇場等の昇降床にアクセスする昇降ステージに適用されて高さを任意に可変することができる高さ可変型昇降式階段装置に関する。
【背景技術】
【０００２】
従来例えば工場において大型の機械部品を整備するために、機械部品の周囲を昇降する作業床上に作業員が乗り、作業床の高さを調節しながら機械を補修する等の整備に当たっていた。このような場合、任意の高さにある作業床に作業員が乗り降りするために作業床の高さに応じた階段が必要とされていた。
【０００３】
上記必要に応じた従来の高さ可変型階段の一例を図１１（ａ）、（ｂ）により説明する。図１１（ａ）、（ｂ）に示される高さ可変型階段は、複数の踏み面５０を有し、これらの踏み面５０の前後左右の隅部は、その前後左右に配設された４本の揺動支柱５１に軸支されている。支柱５１の上端には板状の踊り場５２即ちステージが軸支されている。床面上に配設されたスライドガイド５３に支柱５１の下端に設けられたローラ５４が水平に移動可能に支持されている。
図１１（ａ）のようにステージ５２が所定の高さに上昇されると、踏み面５１が階段状となり人が複数の踏み面５０を踏みながらステージ５２に到達し、所望の作業をすることができる。ステージ５２が最下位置まで下降すると階段は図１１（ｂ）に示されるように略水平状態となり、踏み面５０の床側一端がステージ５２から離れる方向にスライドし通路となる。
【０００４】
上記従来の高さ可変型階段では、ステージ５２の高さを変えることにより、階段の高さや傾斜角度が変化し、高さの変化に伴いけ上げ高さ、即ち隣接する踏み面の高度差が変化する。ステージが下の方にある時は傾斜角度が浅くなり階段といえるほどのけ上げがなく、通路としては各踏み面５０が面一とならず、凹凸した状態となり危険である。またステージが高くなっていくにつれて各踏み面５０の重なり量が多くなって利用踏み面が狭くなり上り下りがし難い問題がある。
【０００５】
その他の昇降階段として車椅子等の乗り物が昇降可能な昇降階段機構が提案されている(特許文献１)。この昇降階段機構はガイドレールに摺動自在に設けた水平載置台と隣接する踏段相互を上下動自在に連結して中間部の複数の踏段を水平載置台へ載置させて平坦な踊り場部に形成する階段とを有するものであり、車椅子の利用者には有効であるが、昇降階段の規模が大型であり又構造が複雑である。
また、階段の各段が上下に昇降自在とされ各段がすべて上昇した状態で各段の踏み板が上階の床と面一となり、上階の床板側の踏み板が上階から下がるようにした階段が提案されている(特許文献２)。この階段は、身体の不自由な人の場合に有効であるが、各段の踏み板に対して昇降装置としてシリンダ装置を必要とし、構造が複雑でその制御装置も必要となる。
【特許文献１】特開２００１−１２２５７３号公報
【特許文献２】特開２００４−２６４０４号公報
【発明の開示】
【発明が解決しようとする課題】
【０００６】
本発明は上記のような問題に鑑みてなされたもので、昇降手段により高さが変化される昇降床に対応して、高さを容易に変えることができるようにするとともに構造を簡略化した高さ可変型昇降式階段装置を提供することを目的とする。
【課題を解決するための手段】
【０００７】
本発明による高さ可変型昇降式階段装置は、互いに連結された複数の踏み面ブロック１１と、垂設されて各踏み面ブロック１１をガイドする複数のガイドレール３０とを有する高さ可変型昇降式階段装置において、前記各踏み面ブロック１１は互いを連結する連結手段２０及び踏み面１２と、該踏み面１２の側部に固設されガイドレール３０によりガイドされる側板１３を有し、最上段の踏み面ブロック１１を昇降手段により上昇することによりそれに続く踏み面ブロック１１が上昇され、上昇された各踏み面ブロック１１間のけ上げ高さＨが一定である。
【０００８】
また本発明によれば、最下位置にある各踏み面ブロック１１の踏み面１２は面一とされている。
【０００９】
また本発明によれば、最上段の踏み面ブロック１１はステージ４０に連結され、該ステージ４０は昇降手段により上下動される昇降床１に連結されている
【００１０】
また本発明によれば、前記側板１３はガイドレール３０に係合して踏み面ブロック１１の傾倒を阻止する傾倒拘束ローラ３１、３２及び水平移動を阻止する水平拘束ローラ３５、３６を有し、前記連結手段２０は一方の踏み面ブロック１１に設けられた長孔２１を有する板状の連結部材２２と、他方の踏み面ブロック１１に設けられ前記長孔２１に係合する連結ピン２３とを具備する請求項１の高さ可変型昇降式階段装置。
【発明の効果】
【００１１】
本発明によれば次の効果が奏される。
（ａ）  最上階の踏み面ブロックを動力手段で上下動し、他の踏み面ブロックを追従作動させて階段の高さを調節することができるので、動力手段を１個とすることができる。
（ｂ）  階段の高さ調節に拘わらず階段の水平投影面積は一定であり、その設置面積を最小化することができる。
（ｃ）  階段の高さ調節に拘わらず各段のけ上げ高さが一定であり階段の上り下りが楽であり且つ安全である。
（ｄ）  同一構造をした簡単な構造の踏み面ブロックを複数連結して階段を構成するので、階段全体の構造が簡単であるとともに製造容易である。
（ｅ）  階段の高さを最下位即ち水平とした場合、各踏み面ブロックの踏み面は面一となりその上を円滑安全に歩行することができる。
【発明を実施するための最良の形態】
【００１２】
以下、図面を参照して本発明の実施形態について説明する。
【００１３】
図１〜図３において、１０は高さを任意に変えることができる高さ可変型昇降式階段装置を示し、該高さ可変型昇降式階段装置１０は工場等で使用される昇降床１即ち作業用床に付設した例で示されている。
図１において左右及び奥側（図の紙面裏方向）に４本のスクリュウー２が支柱４に支持されて立設され、該スクリュウー２にナット３が螺合されている。各スクリュー２は、モータ５によりべベルギヤ６、伝動軸７を介して回動される。
【００１４】
各ナット３に設けられた支持部材８は昇降床１の４隅下面を支持している。モータ５の回転に伴いスクリュー２が回転することにより、ナット３が上下動し、昇降床１は上下動される。本実施形態においてモータ５、スクリュー２、ナット３により昇降手段９が構成される。
【００１５】
昇降床１に乗った作業員はモータ５、スクリュー２を適宜回転し昇降床１を昇降しながら適当な高さで機械部品Ｗを整備、修理等をする。
【００１６】
前記高さ可変型昇降式階段装置１０の具体的構成について図４〜図９により説明する。階段装置１０は前後方向に連結された同一構造をした複数の踏み面ブロック１１を有する。なお、本明細書において前後方向とは、階段を昇る方向に見ての前後方向をいう。
【００１７】
各踏み面ブロック１１は踏み面１２を有し、その両側に側板１３が固設されている。該側板１３は上部分１４とそれから垂下する中間部分１５とその下端に形成された下部分１６を有し、上部分１４と中間部分１５は側方から見て逆Ｌ字状を呈している。
【００１８】
隣接する踏み面ブロック１１は連結手段２０により互いに連結されている。該連結手段２０は、中間部分１５に固設され垂直方向の長孔２１を有する板状の連結部材２２と、上部分１４に設けられ前記長孔２１に係合する連結ピン２３により構成される。
【００１９】
複数の踏み面ブロック１１を前後左右に傾斜することなくガイドするため複数の柱状のガイドレール３０が垂直方向に設けられている。即ち側板１３の上部分１４の後部及び下部分１６の前部にそれぞれ傾倒拘束ローラ３１、３２が設けられている。傾倒拘束ローラ３１はガイドレール３０の前面３３に係合し、傾倒拘束ローラ３２はガイドレール３０の後面３４に係合しており、斯かる構成により踏み面ブロック１１は、ガイドレール３０により傾倒を拘束されながら垂直方向に上下動することができる。
【００２０】
また側板１３の上部分１４と下部分１６には踏み面ブロック１１の水平方向の移動を拘束する水平拘束ローラ３５、３６が設けられており、該ローラ３５、３６はガイドレール３０の左右対向面３７、３８に係合している。
【００２１】
なお、傾倒拘束ローラ３１、３２及び水平拘束ローラ３５、３６はその取り付け位置を図示例に限定されず、その機能を維持しながら取り付け位置を変更してもよい。また図示のように傾倒拘束ローラ３１、３２の回転軸は左右方向を向き、水平拘束ローラ３５、３６の回転軸は前後方向を向いている。
【００２２】
図４、図５に示すように、前方の踏み面ブロック１１が所定距離上昇すると、その下部分１６の後部上面が後方の踏み面ブロック１１の上部分１４の前部下面に係合して、後続の踏み面ブロック１１を引き上げられる。そして前方及び後方の踏み面ブロック１１の各踏み面１２、１２の間の距離が所定のけ上げ高さＨとなる。
【００２３】
最上段の踏み面ブロック１１にステージ４０が連結され、踊り場即ちステージ４０は図３に示すように昇降床１に連結されている。従って、昇降手段９により昇降床１が上下動されるとそれに伴いステージ４０、踏み面ブロック１１は昇降される。ステージ４０は図１に示されるように昇降床１の側部に配設されているが、昇降床１の前部又は後部に配設してもよい。
【００２４】
床面Ｆ（図１、図２参照）上に踏み面ブロック１１を載置する載置部材４１が配設され、該載置部材４１の上面は水平面を形成する。また各踏み面ブロック１１の左右側部には手すり４２が設けられている。なお、載置部材４１はガイドレール３０に固定してもよい。
【００２５】
昇降式階段１０への乗り降りを容易にするために、最下段踏み面ブロック１１の手前に小踊り場４３、固定階段４４が設けられ、これらの小踊り場４３、固定階段４４に手すり４５、４６が付設されている。
【００２６】
以上のような本発明の１実施形態に係る昇降式階段装置の作用について説明する。
【００２７】
昇降床１が最下位置にある場合は、それに追随して全ての踏み面ブロック１１も最下位置をとり、図１０に示すように、載置部材４１に載置される。この場合各踏み面ブロック１１の踏み面１２は平らな面一状態となっている。
【００２８】
昇降床１を上昇すると、それに追随してステージ４０、最上段の踏み面ブロック１１から順次上昇される。図４に最上段の踏み面ブロック１１から３番目までの踏み面ブロック１１が上昇されているが、この場合中間高さの昇降床１で作業員は機械Ｗの整備を行うことができる。このように、最上段の踏み面ブロック１１が中間高さの状態でも、各隣接する踏み面ブロック１１の間のけ上げ高さＨは一定であり階段の上り下りが安全円滑に行うことができる。また、図４に示される右から１番目と２番目に示される踏み面ブロック１１の踏み面１２の上面は面一で平らとなっていて凹凸がなく、安全円滑に歩行することができる。
【００２９】
最上段の踏み面ブロック１１を図４の状態からさらに上昇させ図４の最右端の踏み面ブロック１１をけ上げ高さＨ分上昇させると、階段装置１０は図１、２に示す最高高さとなり、最高高さの昇降床１での作業が可能となる。この場合、最右端の踏み面ブロック１１はフリーになっているが、必要に応じて図示しない係止手段により載置部材４１に係止されて上昇を拘束されるようにしてもよい。上記と逆の操作をすることにより階段装置１０を低くし図１０の状態とすることができ、最下位置の各踏み面ブロック１１の踏み面１２は平らな面一状態となる。
【００３０】
なお、図示の実施形態はあくまでも例示であり、本発明の技術的範囲を限定する趣旨の記載ではない旨を付記する。
例えば昇降手段をスクリュー・ナットの例で説明したが、エアシリンダや油圧シリンダ等の公知の昇降手段を用いても良く、またステージは昇降床である作業床と一体的に構成されているが、ステージは昇降床から分離して単独に移動自在としてもよく、その場合は独自の単一の昇降手段により昇降させるようにしてもよい。また、傾倒拘束ローラは水平拘束ローラは摺動部材に変えてもよい。
【図面の簡単な説明】
【００３１】
【図１】本発明に係る高さ可変型昇降式階段装置の１実施形態を示す正面図。
【図２】図１の可変型昇降式階段装置左側から見た側面図。
【図３】図１の昇降手段及びステージ部を示す図。
【図４】踏み面ブロックの上昇過程の説明図。
【図５】踏み面ブロックの詳細側面図。
【図６】踏み面ブロックとガイドレールの関係を示す図。
【図７】踏み面ブロックと手すり単体を示す側面図。
【図８】踏み面ブロックとガイドレールの平面図。
【図９】踏み面ブロックと手すりの正面図。
【図１０】全ての踏み面ブロックが最下位置にある階段装置の側面図。
【図１１】（ａ）は従来の昇降式階段の上昇した状態を示す図、（ｂ）は従来の昇降式階段の下降した状態を示す図。
【符号の説明】
【００３２】
１・・・昇降床
２・・・スクリュー
３・・・ナット
１０・・・昇降式階段装置
１１・・・踏み面ブロック
１２・・・踏み面
１３・・・側板
２０・・・連結手段
２１・・・長孔
２２・・・連結ピン
３０・・・ガイドレール
３１、３２・・・傾倒拘束ローラ
３５、３６・・・水平拘束ローラ
４２・・・手すり
【図１】
2010037825.tif 000003
【図２】
2010037825.tif 000004
【図３】
2010037825.tif 000005
【図４】
2010037825.tif 000006
【図５】
2010037825.tif 000007
【図６】
2010037825.tif 000008
【図７】
2010037825.tif 000009
【図８】
2010037825.tif 000010
【図９】
2010037825.tif 000011
【図１０】
2010037825.tif 000012
【図１１】
2010037825.tif 000013